(57)【要約】【課題】本発明は、極めて商品価値の高い画期的なスライド装置並びにスライド装置を用いた電子機器を提供することを課題とする。【解決手段】弾性部４の固定連結端部４ａを連結する第一部材１若しくは第二部材２には、この第一部材１と第二部材２とのスライド移動方向に長さを有するガイド部６（ガイド長孔６）を設け、前記弾性部４の可動連結端部４ｂを可動連結部５を介してスライド移動方向と直交する左右方向に可動自在に連結する第二部材２若しくは第一部材１の前記可動部材５には、前記ガイド部６のガイド当接部６ａ（ガイド長孔６の孔縁部６ａ）に当接する可動当接部５ａを設け、前記第一部材１に対して第二部材２をスライド移動する際、前記可動部材５の可動当接部５ａが、前記弾性部４の弾性力によって前記ガイド部６のガイド当接部６ａに押圧付勢されつつ当接しながらこのガイド部６に対して相対移動するように構成する。【選択図】図１
2008305970.tif 000002
【特許請求の範囲】
【請求項１】
第一部材と第二部材とをスライドガイド機構を介して重合面方向にスライド自在に重合連結したスライド装置であって、一端を第一部材若しくは第二部材に連結し、他端を第二部材若しくは第一部材に連結して両端が互いに離れようとする方向に弾性力を生ずる弾性部を備え、この弾性部の一端は前記第一部材若しくは第二部材に位置決め状態に連結する固定連結端部とし、他端はこの第一部材と第二部材とのスライド移動方向と直交する左右方向に可動自在に前記第二部材若しくは第一部材に設ける可動部材に連結されてこの可動部材を介してこの第二部材若しくは第一部材に左右方向に可動自在に連結する可動連結端部とし、前記弾性部の固定連結端部を連結する前記第一部材若しくは第二部材には、この第一部材と第二部材とのスライド移動方向に長さを有するガイド長孔，ガイド凸部などのガイド部を設け、前記弾性部の可動連結端部を連結する前記第二部材若しくは第一部材の前記可動部材には、前記ガイド部のガイド当接部に当接する可動当接部を設け、前記第一部材に対して第二部材をスライド移動する際、前記可動部材の可動当接部が、前記弾性部の弾性力によって前記ガイド部のガイド当接部に押圧付勢されつつ当接しながら前記第一部材と第二部材とのスライド移動に追従してこのガイド部に対して相対移動するように構成すると共に、この弾性部の弾性力により前記第一部材と第二部材とのスライド移動付勢力が生ずるように構成したことを特徴とするスライド装置。
【請求項２】
前記ガイド部は、前記可動部材の可動当接部が当接するガイド当接部の一部若しくは全部を、前記第一部材と第二部材とのスライド移動方向と直交する左右方向に凹凸起伏した形状とし、前記第一部材に対して第二部材をスライド移動する際、前記弾性部の弾性力によって前記可動部材の可動当接部が前記ガイド部のガイド当接部の凸部から凹部へと移動しようとする付勢力により前記第一部材と第二部材とのスライド移動付勢力が生ずる，若しくは前記弾性部の弾性力によって前記可動部材の可動当接部が前記ガイド部のガイド当接部の凹部に嵌り込み係合される所定のスライド移動位置において位置決め保持力が生ずるように構成したことを特徴とする請求項１記載のスライド装置。
【請求項３】
前記第一部材に対して第二部材を前後のスライド移動端部位置間の所定のスライド移動途中位置とした際に、前記可動部材の可動当接部を嵌り込み係合する位置決め係合凹部を前記ガイド部のガイド当接部に設け、前記所定のスライド移動途中位置において位置決め保持力が生ずるように構成したことを特徴とする請求項２記載のスライド装置。
【請求項４】
前記ガイド部は、第一部材と第二部材とのスライド移動方向に長さを有するガイド長孔とし、このガイド長孔の孔縁部を前記ガイド部のガイド当接部とし、前記可動部材の可動当接部はこのガイド長孔の孔縁部に当接するように構成したことを特徴とする請求項１〜３のいずれか１項に記載のスライド装置。
【請求項５】
前記弾性部の固定連結端部を連結する前記第一部材若しくは第二部材の中央の板状部にスライド移動方向に長さを有する前記ガイド長孔を形成して、この第一部材若しくは第二部材に前記ガイド部及びガイド当接部を設けた構成としたことを特徴とする請求項４記載のスライド装置。
【請求項６】
前記弾性部の可動連結端部を連結する前記第二部材若しくは第一部材の中央の板状部にスライド移動方向と直交する左右方向に長さを有する左右ガイド長孔を形成し、この左右ガイド長孔の孔縁部にガイド当接されてこの左右ガイド長孔の長さ方向にして前記第二部材若しくは第一部材に対して左右方向に可動自在に前記可動部材を設ける構成としたことを特徴とする請求項１〜５のいずれか１項に記載のスライド装置。
【請求項７】
前記第一部材に対して第二部材を一方のスライド移動端部から他方のスライド移動端部までスライド移動する際、所定長スライド移動させるまでは前記第二部材に対して戻り方向のスライド移動付勢力が生じ、所定長スライド移動させると逆に第二部材に対して進み方向のスライド移動付勢力が生ずるように前記弾性部の固定連結端部及び可動連結端部を前記第一部材若しくは第二部材に夫々連結したことを特徴とする請求項１〜６のいずれか１項に記載のスライド装置。
【請求項８】
本体部と重合部とを重合配設し、この重合した状態から前記重合部を相対的に重合面方向にすれ違うようにスライド移動して本体部の一部を露出させることができるように前記本体部と前記重合部とをスライド装置により連結し、このスライド装置には、前記本体部を前記第一部材若しくは前記第二部材とし、前記重合部を前記第二部材若しくは前記第一部材とした前記請求項１〜７のいずれか１項に記載のスライド装置を用いたことを特徴とするスライド装置を用いた電子機器。
【請求項９】
前記第一部材に対して第二部材を前後のスライド移動端部位置間の所定のスライド移動途中位置とした際に、前記可動部材の可動当接部を嵌り込み係合する位置決め係合凹部を前記ガイド部のガイド当接部に設け、前記所定のスライド移動途中位置において位置決め保持力が生ずるように構成すると共に、この位置決め保持力が生ずる所定のスライド移動途中位置において、前記本体部に対して重合部が重合閉塞状態となるスライド開始前の初期位置となるように設定したことを特徴とする請求項８記載のスライド装置を用いた電子機器。
【発明の詳細な説明】
【技術分野】
【０００１】
本発明は、スライド装置並びにスライド装置を用いた携帯電話，モバイルなどの電子機器に関するものである。
【背景技術】
【０００２】
例えば、数字キーやファンクションキーを配列した操作部を本体部の上側面に設け、所定の表示がなされる液晶パネルなどのディスプレイ部を、前記本体部に重合する重合部の上側面に設け、この本体部と重合部とを前後方向に相対的に移動する構造のスライド式の携帯電話が従来からある。
【０００３】
これは、重合部に左右に間隔を置いてスライドガイド部としてのガイドレール部を設け、この左右のガイドレール部にスライド係合するスライド部を本体部に設け、ガイドレール部に対してスライド部が相対的にスライド移動することで、重合部と本体部とをスライド移動自在に連結する構成としている。
【０００４】
このようなスライド式の携帯電話のスライド構造を実現するスライド装置は、前述のように左右に設けたスライドガイド部間にスライド部をその両端部をスライド自在に係合させて、スライドガイド部に対してスライド部をスライド自在に係合するスライドガイド機構を介して、第一部材と第二部材とを重合面方向にスライド自在に重合連結する構成である。
【０００５】
ところで、このように本体部と重合部とをスライドスライド移動自在に連結するスライド装置を用いたスライド式の携帯電話は、本体部の操作部を重合部で隠蔽した重合閉塞位置と、重合部を位置ズレするように前後方向へスライド移動させて操作部を露出させたスライド開放位置とで位置決め保持（閉じ付勢や開き付勢あるいはクリック係合）するように構成することが望ましい。
【０００６】
そこで、このような要望に応えるべく、弾性部の一方の連結端部を第一部材に連結し、他端を連結端部を第二部材に連結し、この弾性部の両方の連結端部同志が互いに離れようとする方向に弾性力を生ずることで第一部材と第二部材との間にスライド方向の付勢を生ずるように構成したスライド装置がある。
【０００７】
即ち例えば、線材の両端部間の途中部にてこの線材をコイル状に多重巻回しこのコイル状部を頂部にして全体視ヘ字状に形成したトーションバネを弾性部とし、このトーションバネの一端を第一部材に連結し、他端を第二部材に連結し、このトーションバネの両端の連結部が互いに離れようとする弾性力（拡角付勢力）により第一部材と第二部材との間にスライド移動付勢力が生ずるように構成したものがある。
【０００８】
従って、例えば第一部材に対して第二部材をスライド開放位置とした際には前記弾性部の弾性力により開き方向のスライド移動付勢力が生じ、また第一部材に対して第二部材を重合した閉塞位置とした際には前記弾性部の弾性力により閉じ方向のスライド移動付勢力が生ずるように構成でき、スライド開放位置及び閉塞位置の双方のスライド移動端部にて夫々位置決め保持力が生ずるように構成できる。
【０００９】
【特許文献１】特開２００５−２９１３１５号公報
【発明の開示】
【発明が解決しようとする課題】
【００１０】
本出願人は、従来から提案されている前述したスライド装置について更なる研究・開発を進め、スムーズなスライド操作性を実現し、また設計によってはスライド移動端部だけでなく所望のスライド移動位置において位置決め保持力やスライド移動付勢力が生ずるように設計でき、しかもそのような様々な仕様のスライド装置を簡単に低コストで製造・実現できるなど、より一層商品価値の高い画期的なスライド装置並びにスライド装置を用いた電子機器を開発するに至った。
【課題を解決するための手段】
【００１１】
添付図面を参照して本発明の要旨を説明する。
【００１２】
第一部材１と第二部材２とをスライドガイド機構を介して重合面方向にスライド自在に重合連結したスライド装置であって、一端を第一部材１若しくは第二部材２に連結し、他端を第二部材２若しくは第一部材１に連結して両端が互いに離れようとする方向に弾性力を生ずる弾性部４を備え、この弾性部４の一端は前記第一部材１若しくは第二部材２に位置決め状態に連結する固定連結端部４ａとし、他端はこの第一部材１と第二部材２とのスライド移動方向と直交する左右方向に可動自在に前記第二部材２若しくは第一部材１に設ける可動部材５に連結されてこの可動部材５を介してこの第二部材２若しくは第一部材１に左右方向に可動自在に連結する可動連結端部４ｂとし、前記弾性部４の固定連結端部４ａを連結する前記第一部材１若しくは第二部材２には、この第一部材１と第二部材２とのスライド移動方向に長さを有するガイド長孔，ガイド凸部などのガイド部６を設け、前記弾性部４の可動連結端部４ｂを連結する前記第二部材２若しくは第一部材１の前記可動部材５には、前記ガイド部６のガイド当接部６ａに当接する可動当接部５ａを設け、前記第一部材１に対して第二部材２をスライド移動する際、前記可動部材５の可動当接部５ａが、前記弾性部４の弾性力によって前記ガイド部６のガイド当接部６ａに押圧付勢されつつ当接しながら前記第一部材１と第二部材２とのスライド移動に追従してこのガイド部６に対して相対移動するように構成すると共に、この弾性部４の弾性力により前記第一部材１と第二部材２とのスライド移動付勢力が生ずるように構成したことを特徴とするスライド装置に係るものである。
【００１３】
また、前記ガイド部６は、前記可動部材５の可動当接部５ａが当接するガイド当接部６ａの一部若しくは全部を、前記第一部材１と第二部材２とのスライド移動方向と直交する左右方向に凹凸起伏した形状とし、前記第一部材１に対して第二部材２をスライド移動する際、前記弾性部４の弾性力によって前記可動部材５の可動当接部５ａが前記ガイド部６のガイド当接部６ａの凸部から凹部へと移動しようとする付勢力により前記第一部材１と第二部材２とのスライド移動付勢力が生ずる，若しくは前記弾性部４の弾性力によって前記可動部材５の可動当接部５ａが前記ガイド部６のガイド当接部６ａの凹部に嵌り込み係合される所定のスライド移動位置において位置決め保持力が生ずるように構成したことを特徴とする請求項１記載のスライド装置に係るものである。
【００１４】
また、前記第一部材１に対して第二部材２を前後のスライド移動端部位置間の所定のスライド移動途中位置とした際に、前記可動部材５の可動当接部５ａを嵌り込み係合する位置決め係合凹部８を前記ガイド部６のガイド当接部６ａに設け、前記所定のスライド移動途中位置において位置決め保持力が生ずるように構成したことを特徴とする請求項２記載のスライド装置に係るものである。
【００１５】
また、前記ガイド部６は、第一部材１と第二部材２とのスライド移動方向に長さを有するガイド長孔６とし、このガイド長孔６の孔縁部６ａを前記ガイド部６のガイド当接部６ａとし、前記可動部材５の可動当接部５ａはこのガイド長孔６の孔縁部６ａに当接するように構成したことを特徴とする請求項１〜３のいずれか１項に記載のスライド装置に係るものである。
【００１６】
また、前記弾性部４の固定連結端部４ａを連結する前記第一部材１若しくは第二部材２の中央の板状部にスライド移動方向に長さを有する前記ガイド長孔６を形成して、この第一部材１若しくは第二部材２に前記ガイド部６及びガイド当接部６ａを設けた構成としたことを特徴とする請求項４記載のスライド装置に係るものである。
【００１７】
また、前記弾性部４の可動連結端部４ｂを連結する前記第二部材２若しくは第一部材１の中央の板状部にスライド移動方向と直交する左右方向に長さを有する左右ガイド長孔７を形成し、この左右ガイド長孔７の孔縁部７ａにガイド当接されてこの左右ガイド長孔７の長さ方向にして前記第二部材２若しくは第一部材１に対して左右方向に可動自在に前記可動部材５を設ける構成としたことを特徴とする請求項１〜５のいずれか１項に記載のスライド装置に係るものである。
【００１８】
また、前記第一部材１に対して第二部材２を一方のスライド移動端部から他方のスライド移動端部までスライド移動する際、所定長スライド移動させるまでは前記第二部材２に対して戻り方向のスライド移動付勢力が生じ、所定長スライド移動させると逆に第二部材２に対して進み方向のスライド移動付勢力が生ずるように前記弾性部４の固定連結端部４ａ及び可動連結端部４ｂを前記第一部材１若しくは第二部材２に夫々連結したことを特徴とする請求項１〜６のいずれか１項に記載のスライド装置に係るものである。
【００１９】
また、本体部と重合部とを重合配設し、この重合した状態から前記重合部を相対的に重合面方向にすれ違うようにスライド移動して本体部の一部を露出させることができるように前記本体部と前記重合部とをスライド装置により連結し、このスライド装置には、前記本体部を前記第一部材１若しくは前記第二部材２とし、前記重合部を前記第二部材２若しくは前記第一部材１とした前記請求項１〜７のいずれか１項に記載のスライド装置を用いたことを特徴とするスライド装置を用いた電子機器に係るものである。
【００２０】
また、前記第一部材１に対して第二部材２を前後のスライド移動端部位置間の所定のスライド移動途中位置とした際に、前記可動部材５の可動当接部５ａを嵌り込み係合する位置決め係合凹部８を前記ガイド部６のガイド当接部６ａに設け、前記所定のスライド移動途中位置において位置決め保持力が生ずるように構成すると共に、この位置決め保持力が生ずる所定のスライド移動途中位置において、前記本体部に対して重合部が重合閉塞状態となるスライド開始前の初期位置となるように設定したことを特徴とする請求項８記載のスライド装置を用いた電子機器係るものである。
【発明の効果】
【００２１】
本発明は上述のように構成したから、従来通り前記弾性部の弾性力により第一部材と第二部材とのスライド移動付勢力は良好に生ずることができ、設計によっては、第一部材に対して第二部材をスライド移動端部で前記スライド移動付勢力により位置決め保持付勢するといった位置決め保持機能も実現できる。
【００２２】
しかもスライド移動の際、第一部材に対して第二部材に左右方向の付勢力が生ずることを阻止でき、よってスライド移動の際に第一部材に対して第二部材が左右に片寄り余計なスライド抵抗が生じてスムーズな操作性が損なわれるといったことを阻止できる。
【００２３】
更に、例えばガイド長孔やガイド凸部などのガイド部の形状設定，即ち可動部材の可動当接部が当接する前記ガイド部のガイド当接部の形状設定によっては、様々なスライド移動位置にてスライド移動付勢力や位置決め保持力を実現でき、求める操作感や仕様に応じた多様なスライド移動付勢力や位置決め保持力を、単にガイド当接部の形状設定によって簡単に設計・実現できるなど、極めて商品価値の高い画期的なスライド装置となる。
【００２４】
また、請求項２，３記載の発明においては、ガイド長孔の孔形状の設定によって様々なスライド移動付勢力や位置決め保持力を簡単に実現できるという本発明の秀れた作用効果を確実に発揮し得る構成の極めて実用性に秀れた画期的なスライド装置となる。
【００２５】
また、請求項４，５，６記載の発明においては、容易な構成で、本発明を一層確実に実現できる一層秀れたスライド装置となる。特に、請求項４記載の発明においては、ガイド長孔の孔形状の設定、即ち可動部材の可動当接部が当接する前記ガイド長孔の孔縁部の形状の設定によって、様々なスライド移動位置にてスライド移動付勢力や位置決め保持力を実現でき、求める操作感や仕様に応じた多様なスライド移動付勢力や位置決め保持力を、単にガイド長孔の孔形状の設定によって簡単に設計・実現でき、一層簡易設計・製造可能な画期的なスライド装置となる。
【００２６】
また、請求項７記載の発明においては、第一部材に対して第二部材をスライド移動端部において良好に位置決め保持付勢でき、且つスライド移動途中で第二部材がフラつくことも阻止できる秀れた操作性のスライド装置となる。
【００２７】
また、請求項８，９記載の発明においては、前記作用効果を確実且つ良好に発揮することができる極めて実用性に秀れたスライド装置を用いた電子機器となる。
【００２８】
また、この種のスライド装置を用いた電子機器においては、本体部に対して重合部を重合閉塞状態としたスライド開始前の初期位置から重合部を前方にスライド開放させ得るように構成し、且つこの初期位置（重合位置）と前方スライド開放位置の双方の位置で夫々位置決め保持力が生ずるように構成するのが一般的である。これに対して請求項７記載の発明においては、本体部に対して重合部が初期位置（重合位置）から前方だけでなく後方にもスライド開放させ得るように構成しており、尚且つこの初期位置（閉塞位置），前方スライド開放位置，後方スライド開放位置の夫々の位置で確実に位置決め保持力が生ずるように構成し、斬新で良好な操作感を有し且つ容易に設計・実現可能な一層商品価値の高いスライド装置を用いた電子機器となる。
【発明を実施するための最良の形態】
【００２９】
好適と考える本発明の実施形態（発明をどのように実施するか）を、図面に基づいて本発明の作用を示して簡単に説明する。
【００３０】
本発明は、第一部材１と第二部材２とをスライドガイド機構を介して重合面方向にスライド自在に重合連結したスライド装置である。また、弾性部４の一端を第一部材１若しくは第二部材２に連結し、他端を第二部材２若しくは第一部材１に連結し、この弾性部４は、前記両端が互いに離れようとする方向に弾性力を生ずるように構成している。
【００３１】
従って、第一部材１と第二部材２との間には前記弾性部４の弾性力が付与することとなり、この弾性部４の弾性力のうち、第一部材１と第二部材２とのスライド移動方向の成分がこの第一部材１と第二部材２とのスライド移動付勢力として作用することとなる。
【００３２】
同時にこの弾性部４の弾性力は、第一部材１と第二部材２とのスライド移動方向と直交する左右方向の成分も有しており、例えば弾性部４の一端を第一部材１に位置決め状態に連結し、他端を第二部材２に位置決め状態に連結した構成の場合、この弾性部４の弾性力の前記左右方向の成分により、第一部材１に対して第二部材２に左右方向の付勢力が生じ、スライド移動時に左右に片寄りが生じて余計なスライド抵抗が生じスムーズな操作性が損なわれる場合があるが、この点本発明では第一部材１に対して第二部材２に左右方向の付勢力が生じて前記片寄りが生ずることを阻止でき、スムーズな操作感を実現できる。
【００３３】
即ち、本発明では、弾性部４の一端の固定連結端部４ａは第一部材１若しくは第二部材２に位置決め状態に連結するが、他端の可動連結端部４ｂは第二部材２若しくは第一部材１に位置決め状態に連結せずに左右方向に可動自在に連結している。具体的には、第二部材２若しくは第一部材１に左右方向に可動自在な可動部材５を設け、この可動部材５に弾性部４の可動連結端部４ｂを連結することで、可動部材５を介して弾性部４の可動連結端部４ｂを第二部材２若しくは第一部材１に左右方向に可動自在に連結している。
【００３４】
そして更に、弾性部４の固定連結端部４ａを連結する前記第一部材１若しくは第二部材２にはスライド移動方向に長さを有するガイド長孔，ガイド凸部などのガイド部６を設け、このガイド部６のガイド当接部６ａに当接する可動当接部５ａを前記可動部材５に設けている。
【００３５】
具体的には、例えば後述の実施例のように、このガイド部６は、第一部材１と第二部材２とのスライド移動方向に長さを有するガイド長孔６とし、このガイド長孔６の孔縁部６ａを前記ガイド部６のガイド当接部６ａとし、前記可動部材５の可動当接部５ａはこのガイド長孔６の孔縁部６ａに当接するように構成する。
【００３６】
従って、前述した前記弾性部４の弾性力のうちスライド移動方向と直交する左右方向の成分により、可動部材５の可動当接部５ａはガイド部６（例えばガイド長孔６ａ）のガイド当接部６ａ（例えば孔縁部６ａ）に押圧付勢されつつ当接することとなる。つまり、例えば弾性部４の固定連結部４ａを第一部材１に連結し可動連結部４ｂを第二部材２に連結した場合を例に説明すると、第一部材１と弾性部４の固定連結端部４ａとの連結箇所に作用する左右方向の付勢力に対し、これと左右反対方向の付勢力が前記第二部材２ではなく第一部材１のガイド部６のガイド当接部６ａに作用し、この左右反対の付勢力同志が互いに相殺若しくは減殺されることとなる。
【００３７】
よって、従来通り前記弾性部４の弾性力によりスライド移動付勢力は良好に生ずることができ、しかもスライド移動の際に第一部材１に対して第二部材２に左右方向の付勢力が生ずることは阻止でき、左右の片寄りにより操作性が悪くなることを阻止でき、スムーズで良好な操作感のスライド装置の構造を簡単に設計・実現可能となる。
【００３８】
また、第一部材１に対して第二部材２をスライド移動する際、前記可動部材５の可動当接部５ａが、前記弾性部４の弾性力によって前記ガイド部６のガイド当接部６ａに押圧付勢されつつ当接しながら、前記第一部材１と第二部材２とのスライド移動に追従してこのガイド長孔６内を相対移動することとなるから、前述したように第一部材１に対して第二部材２に左右方向の付勢力が生ずることを阻止し左右方向の片寄りを阻止できるだけでなく、例えばこのガイド部６のガイド当接部６ａの形状の設定次第では、所定のスライド位置で位置決め保持力やスライド移動付勢力を生ずるように構成することも極めて容易に設計・実現可能である。
【００３９】
具体的には、例えば前記ガイド部６は、前記可動部材５の可動当接部５ａが当接するガイド当接部６ａの一部若しくは全部を、前記第一部材１と第二部材２とのスライド移動方向と直交する左右方向に凹凸起伏した孔形状に形成し、前記第一部材１に対して第二部材２をスライド移動する際、前記弾性部４の弾性力によって前記可動部材５の可動当接部５ａが前記ガイド部６のガイド当接部６ａの凸部から凹部へと移動しようとする付勢力により前記第一部材１と第二部材２とのスライド移動付勢力が生ずるように構成すれば、弾性部４の弾性力によるスライド移動付勢力だけでなく、このガイド部６のガイド当接部６ａと可動部材５の可動当接部５ａとの押圧付勢によってもスライド移動付勢力を生ずることができ、より多様なスライド移動付勢力を実現できることとなる。
【００４０】
また例えば、前記弾性部４の弾性力によって前記可動部材５の可動当接部５ａが前記ガイド部６のガイド当接部６ａの凹部に嵌り込み係合される所定のスライド移動位置において位置決め保持力が生ずるように構成すれば、弾性部４の弾性力によるスライド移動付勢力で各スライド移動端部における位置決め保持力が生ずるように構成するだけでなく、このガイド部６のガイド当接部６ａの凹部への可動部材５の可動当接部５ａの係合力によっても位置決め保持力を生ずるように構成でき、スライド移動端部だけでなく例えばスライド移動途中位置など所望のスライド移動位置にて位置決め保持力が生ずるように設計できるなど、より多様な位置決め保持力を実現できることとなる。
【００４１】
従って、単にガイド部６のガイド当接部６ａの形状の設定次第で、多様なスライド移動付勢力や位置決め保持力を極めて容易に設計・実現でき、求めるスライド操作の仕様に応じてスライド移動付勢力や位置決め保持力を様々設定できる画期的なスライド装置となる。
【実施例】
【００４２】
本発明の具体的な実施例について図面に基づいて説明する。
【００４３】
本実施例は、図１に示すように片手で持てる携帯電話に本発明を適用したもので、回路基板，電源などの電子部品をケースに内装した板状の本体部の上面に数字キーやファンクションキーなどを配列したキーボード機能を果たす操作部９を設け、この操作部の操作により表示されるディスプレイ部10を、この本体部の操作部９を覆うようにスライド自在に重合する開閉フリップとしての同形の重合部に設け、この重合した状態から本体部に対して重合部を相対的に重合面方向にすれ違うようにスライド移動して本体部の上面の一部を露出させることができるようにこの本体部と重合部とをスライド装置により連結した構成としている。
【００４４】
このスライド装置は、第一部材１と第二部材２とをスライドガイド機構を介して重合面方向にスライド自在に重合連結したスライド装置であって、一端を第一部材１若しくは第二部材２に連結し、他端を第二部材２若しくは第一部材１に連結して両端が互いに離れようとする方向に弾性力を生ずる弾性部４を備え、この弾性部４の一端は前記第一部材１若しくは第二部材２に位置決め状態に連結する固定連結端部４ａとし、他端はこの第一部材１と第二部材２とのスライド移動方向と直交する左右方向に可動自在に前記第二部材２若しくは第一部材１に設ける可動部材５に連結されてこの可動部材５を介してこの第二部材２若しくは第一部材１に左右方向に可動自在に連結する可動連結端部４ｂとし、前記弾性部４の固定連結端部４ａを連結する前記第一部材１若しくは第二部材２には、この第一部材１と第二部材２とのスライド移動方向に長さを有するガイド長孔，ガイド凸部などのガイド部６を設け、前記弾性部４の可動連結端部４ｂを連結する前記第二部材２若しくは第一部材１の前記可動部材５には、前記ガイド部６のガイド当接部６ａに当接する可動当接部５ａを設け、前記第一部材１に対して第二部材２をスライド移動する際、前記可動部材５の可動当接部５ａが、前記弾性部４の弾性力によって前記ガイド部６のガイド当接部６ａに押圧付勢されつつ当接しながら前記第一部材１と第二部材２とのスライド移動に追従してこのガイド部６に対して相対移動するように構成すると共に、この弾性部４の弾性力により前記第一部材１と第二部材２とのスライド移動付勢力が生ずるように構成したものである。
【００４５】
即ち、本実施例では、このスライド装置の第一部材１を前記携帯電話の本体部に取り付けて一体スライドするように設け、第二部材２を前記携帯電話の重合部に取り付けて一体スライドするように設け、このスライド装置によって本体部と重合部とをスライド自在に重合連結している。尚、第一部材１自体を本体部（又は重合部）として設け、第二部材２自体を重合部（又は本体部）として設けた構成としても良い。
【００４６】
以下、本実施例を具体的に説明する。
【００４７】
前記スライド装置の第一部材１と第二部材２とを重合連結するスライドガイド機構は、第一部材１の左右に二本のガイドレールとしてのスライドガイド部１Ａを対向状態に並設し、このスライドガイド部１Ａにスライド係合するスライド部２Ａを第二部材２に設け、このスライド部２を前記第一部材１のスライドガイド部１Ａにスライド係合せしめて第一部材１に対して第二部材２をスライド自在に重合連結する構成である。
【００４８】
具体的には、図２及び図３に図示したように、第一部材１としての板状のスライドガイド部形成板11の左右にスライドガイド部１Ａを並設し、第二部材２としての板状のスライド部形成板12の左右に前記スライドガイド部１Ａにスライド係合するスライド部２Ａを並設する。図２及び図３に図示したように、この第一部材１としてのスライドガイド部形成板11の左右のガイド取付部１Ａ’を介して凹条ガイドレール状のスライドガイド部１Ａを前記スライドガイド部形成板11の左右に設け、一方、第二部材２としてのスライド部形成板12の左右縁部に、前記第一部材１の左右のスライドガイド部１Ａの凹条レール溝に嵌挿されるスライドシャフト２Ａ’を設ける。
【００４９】
そして、図２（ｂ）に図示したように、この第二部材２（スライド部形成板部12）の左右のスライド部２Ａとしてのスライドシャフト２Ａ’を、第一部材１（スライドガイド部形成板11）の左右のスライドガイド部１Ａに夫々スライド係合せしめて、第一部材１と第二部材２とをスライド自在に重合連結した構成である。
【００５０】
尚、第一部材１の上面に別部材としての板状のスライドガイド部形成板11を付設し、第二部材２の下面に別部材としての板状のスライド部形成板12を付設し、このスライドガイド部形成板11とスライド部形成板12とをスライド自在に重合連結することで第一部材１と第二部材２とをスライド連結する構成としても良い。またスライドガイド機構の構成は上述した本実施例のものに限らず、第一部材１と第二部材２とをスライド自在に重合連結し得るものであればどのような構成を採用しても良い。
【００５１】
弾性部４としては、伸縮自在なユニット基体に抗縮コイルバネを並設しこのコイルバネの弾性力によりユニット基体の両端部同志が互いに離れる方向（伸長方向）に弾性力を発揮するスプリングユニットや、線材の端部間の中央部をコイル状に巻回して全体視略ヘ字型に構成し、両端部同志が互いに離れる方向（拡角方向）に弾性力を発揮するトーションバネなど、種々の構成を採用すれば良く、図示した本実施例においては、全体視略ヘ字型の二本のトーションバネから成る構成を採用している。
【００５２】
本実施例では、図３に図示したように、この二本のトーションバネを、下側の第一部材１としてのスライドガイド部形成板11と、上側の第二部材２としてのスライド部形成板12との間隙スペースに介存状態に配する。
【００５３】
この二本のトーションバネの各一端は、前記第二部材２に位置決め状態に連結する。具体的には図２及び図３に図示したように、第二部材２のスライド部形成板12の左右一方の縁部（スライド部２Ａ）の近傍位置に止着される連結軸ピン13に前記二本のトーションバネの各一端を枢着連結して、弾性部４の一端の固定連結端部４ａを第二部材２に位置決め状態に枢着連結した構成である。またこの二本のトーションバネの各他端は、前記第一部材１に左右方向に可動自在に連結する。具体的には、図２及び図３に図示したように、第一部材１の中央部に左右方向に可動自在に設ける可動部材５に止着される連結軸ピン14に前記二本のトーションバネの各他端を枢着連結して、弾性部４の他端の可動連結端部４ｂを第一部材１に左右に可動自在に枢着連結した構成である。
【００５４】
この可動部材５は、第一部材１（スライドガイド部形成板11）の中央板状部にスライド移動方向と直交する左右方向に長さを有する左右ガイド長孔７を形成し、この左右ガイド長孔７の孔縁部７ａにガイド当接されてこの左右ガイド長孔７の長さ方向に沿って前記第一部材１に対して左右方向に可動自在に設ける構成である。具体的には、図３に図示したように、可動部材５は板状に形成すると共にその上下の板縁部に、前記左右ガイド長孔７の上下の孔縁部７ａに当接する段部16を形成する。そしてこの可動部材５の上下板縁部に形成した段部16が前記左右ガイド長穴７の上下の孔縁部７ａに当接するようにこの可動部材５の板上面側を左右ガイド長孔７内に下方から嵌め込み、スライドガイド部形成板11の下方からこの可動部材５及び左右ガイド長孔７を覆うようにカバー部材15を付設して、この可動部材５を前記左右ガイド長孔７の孔縁部７ａをスライドガイドとして左右方向にスライド可動自在に設けた構成である。前記弾性部４の二本のトーションバネは、この可動部材５の上面の前記連結軸ピン14に枢着連結するものである。
【００５５】
また、この可動部材５の板上面には、第二部材２に設けたスライド移動方向に長さを有するガイド部６のガイド当接部６ａに当接する可動当接部５ａを設けている。具体的には、図３に図示したように、可動部材５の板上面にローラ軸部材17Ａを介して回動自在にローラ体17を設けた構成で、図２に図示したように、第一部材１（スライドガイド部形成板11）と、第二部材２（スライド部形成板12）とをスライド自在に重合連結した際に、前記可動部材５の可動当接部５ａとしてのローラ体17が前記第二部材２に形成したガイド部６としての後述のガイド長孔６内に配されてこのガイド部６（ガイド長孔６）のガイド当接部６ａとしての後述の孔縁部６ａに当接するように構成している。
【００５６】
従って、弾性部４の弾性力により、この弾性部４の固定連結端部４ａに対して可動連結端部４ｂが離反する方向へと付勢されることとなり、これにより可動連結端部４ａを連結した前記可動部材５が第一部材１の左右ガイド長孔７の孔縁部７ａに上下方向（第一部材１と第二部材２とのスライド移動方向）に押圧付勢されると共に、可動部材５の可動当接部５ａが第二部材２のガイド長孔６の孔縁部６ａに左右方向に押圧付勢される。
【００５７】
即ち、弾性部４の弾性力により、可動連結端部４ａを連結した前記可動部材５が第一部材１の左右ガイド長孔７の孔縁部７ａに上下方向に押圧付勢され、これにより第一部材１と第二部材２との間にスライド移動付勢力が生ずる。しかし、弾性部４の弾性力による左右方向の付勢力は第一部材１に作用しない為、弾性部４の弾性力によりスライド移動付勢力は良好に実現できながらスライド移動時に左右方向の片寄りも確実に阻止でき、スムーズな操作感が得られる。
【００５８】
ガイド部６としては種々の構成を採用でき、例えば第二部材２としての前記スライド部形成板12の中央板状部に、第一部材１と第二部材２とのスライド移動方向に長さを有する凸条を形成して成るガイド凸部をこのガイド部６として構成するなど様々採用できるが、図示した本実施例においては、本実施例においては、ガイド部６として前記第二部材２にガイド長孔６を形成し、このガイド長孔６の孔縁部６ａをガイド当接部６ａとして構成している。
【００５９】
この前記ガイド長孔６は、第二部材２としてのスライド部形成板12の中央板状部に、第一部材１と第二部材２とのスライド移動方向（前後方向）に長さを有する長孔形状に形成したものである。また、このガイド長孔６は、前記可動部材５の可動当接部５ａが当接する孔縁部６ａの一部若しくは全部を、前記第一部材１と第二部材２とのスライド移動方向と直交する左右方向に凹凸起伏した孔形状に形成し、前記第一部材１に対して第二部材２をスライド移動する際、前記弾性部４の弾性力によって前記可動部材５の可動当接部５ａが前記ガイド長孔６の孔縁部６ａの凸部から凹部へと移動しようとする付勢力により前記第一部材１と第二部材２とのスライド移動付勢力が生ずる，若しくは前記弾性部４の弾性力によって前記可動部材５の可動当接部５ａが前記ガイド長孔６の孔縁部６ａの凹部に嵌り込み係合される所定のスライド移動位置において位置決め保持力が生ずるように構成している。
【００６０】
本実施例においては、図２及び図３に図示したように、前記第一部材１に対して第二部材２を前後のスライド移動端部位置間の所定のスライド移動途中位置とした際に、前記可動部材５の可動当接部５ａを嵌り込み係合する位置決め係合凹部８を前記ガイド長孔６の孔縁部６ａに設け、前記所定のスライド移動途中位置において位置決め保持力が生ずるように構成している。
【００６１】
具体的には、第二部材２にスライド方向と略平行な長孔形状のガイド長孔６を形成し、図４及び図５に図示したように、第一部材１に対して第二部材２を一方のスライド移動端部から反対側のスライド移動端部までスライド移動させることで、前記可動部材５の可動当接部５ａとしてのローラ体17がこのガイド長孔６の一端部から他端部まで相対移動するように前記ガイド長孔６の孔形状を設定し、且つこのガイド長孔６の両端部間の所定の途中位置に前記位置決め係合凹部８を形成した孔形状とする。
【００６２】
この位置決め係合凹部８の形成位置は、図４（ａ）や図５（ａ）に図示したように、第一部材１を設ける前記携帯電話の本体部に対して、第二部材２を設ける前記携帯電話の重合部が重合するスライド開始前の閉塞位置（初期位置）とした際に、丁度この位置決め係合凹部８に前記可動部材５の可動当接部５ａが位置決め係合されて位置決め保持力が生ずることとなる位置に設定する。
【００６３】
図４及び図５に、本実施例のスライド操作を示す前方スライド開放時（図４）及び後方スライド開放時（図５）の作動説明図を示す。
【００６４】
本実施例では、第一部材１に対して第二部材２を一方のスライド移動端部から他方のスライド移動端部までスライド移動する際、所定長スライド移動させるまでは前記第二部材２に対して戻り方向のスライド移動付勢力が生じ、所定長スライド移動させると逆に第二部材２に対して進み方向のスライド移動付勢力が生ずるように構成している。
【００６５】
即ち、第一部材１に対して第二部材２をスライド移動する際、弾性部４の固定連結端部４ａと可動連結端部４ｂとがスライド方向と直交する左右方向に並列し、スライド移動方向（前後方向）の付勢力が生じないスライド位置（図４（ｂ）のスライド位置）を境界として、スライド移動付勢力が正逆反対となる構成である。
【００６６】
図４（ａ），図５（ａ）に図示したように、本体部に重合部を重合したスライド開始前の閉塞位置（初期位置）では、弾性部４の弾性力により可動部材５の可動当接部５ａ（ローラ体17）がガイド長孔６の孔縁部６ａの係合凹部８に位置決め係合されて位置決め保持力が生じている。
【００６７】
図４に図示したように、例えば本体部を把持した片手の親指などで重合部を前記閉塞位置（初期位置）から前方に押動し、弾性部４の弾性力に抗して可動当接部５ａを前記係合凹部８から脱することにより重合部が前方に開放スライド移動する。
【００６８】
この際、図４（ｂ）に図示するスライド位置まで重合部を前方に開放スライド移動するまでは、戻り方向のスライド移動付勢力が生ずることとなるが、その位置を越えてスライド移動すると、逆に進み方向のスライド移動付勢力が生じ、軽い押動操作力で，或いは自動で図４（ｃ）に図示する前方開放側のスライド移動端部まで重合部が前方開放スライド移動することとなる。
【００６９】
そして、前記前方進み方向のスライド移動付勢力により、重合部がこの前方開放位置に位置決め保持付勢されることとなる。
【００７０】
また本実施例では、本体部に対して重合部を閉塞位置（初期位置）から、前方だけでなく後方にも開放スライド移動ができ、図５に図示したように、例えば本体部を把持した片手の親指などで重合部を前記閉塞位置（所期位置）から後方に引動し、弾性部４の弾性力に抗して可動当接部５ａを前記係合凹部８から脱することにより重合部が後方に開放スライド移動する。
【００７１】
尚、この図５（ａ），（ｂ）のスライド移動範囲では、弾性部４の弾性力により後方開放側に向けて進み方向のスライド移動付勢力が生じているので、前記可動当接部５ａを前記係合凹部８から脱することで、後は軽い引動操作力で，或いは自動で図５（ｂ）に図示する後方開放側のスライド移動端部まで重合部が後方開放スライド移動することとなる。
【００７２】
そして、前記後方進み方向のスライド移動付勢力により、重合部がこの後方開放位置に位置決め保持付勢されることとなる。
【００７３】
本実施例は、図１及び図４に図示したように、通常のスライド式の携帯電話と同様に本体部に対して重合部を閉塞位置（初期位置）から前方に開放スライドして、本体部の操作部９を操作可能な露出状態とすることができることは勿論、図５に図示したように、重合部を閉塞位置（初期位置）から後方にも開放スライドでき、この後方開放スライドによって露出することとなる本体部の上面部や重合部の下面部に、例えばカメラ撮影部などを配備することができ、斬新な操作感で一層商品価値の高い携帯電話を実現できる。
【００７４】
しかも、弾性部４の弾性力によるスライド付勢力と、可動部材５の可動当接部５ａとガイド長孔６の孔縁部６ａの係合凹部８との位置決め係合力とにより、本体部に対して重合部を閉塞位置（初期位置），前方開放スライド位置，後方開放スライド位置の夫々の位置で確実且つ良好に位置決め保持を実現できる。
【００７５】
このように本実施例のスライド装置は、単に第二部材２の中央板状部（スライド部形成板12の中央部）に形成するガイド長孔６の孔形状を適宜設定するだけで、上述のようにスライド移動端部間の途中位置で位置決め保持力を生ずるように構成するなど、多様な位置決め保持力やスライド移動付勢力を極めて簡単に設計・実現できるものである。即ち、例えば図６に図示した本実施例の別例のように、前記第二部材２のガイド長孔６を第一部材１と第二部材２とのスライド移動方向に平行な直線状とせずに、長さ方向に略へ字型に凹凸屈曲した形状とすれば、弾性部４の弾性力によって前記可動部材５の可動当接部５ａ（ローラ体17）がこのガイド長孔６の孔縁部６ａの凸部から凹部へと移動しようとする付勢力により第一部材１と第二部材２との間にスライド移動付勢力が生ずるようにも構成できる。また例えば図７に図示した本実施例の別例のように、ガイド長孔６の長さ方向途中部に設けた前記係合凹部８と同様の係合凹部18をこのガイド長孔６の両端部にも設けた構成とすれば、第一部材１に対して第二部材２にスライド移動端部位置において一層強い位置決め保持力が生ずるようにも構成できる。
【００７６】
以上、本実施例は、第一部材１に対して第二部材２が左右方向に片寄ることなく、スムーズな操作感を実現でき、尚且つ第二部材２の板状中央部にプレス加工などで穿設するガイド長孔６の孔形状の設定次第で、求めるスライド操作性や位置決め保持力に応じた様々な仕様のスライド装置を極めて簡単に設計・実現できる画期的なスライド装置となる。
【００７７】
尚、本発明は、本実施例に限られるものではなく、各構成要件の具体的構成は適宜設計し得るものである。
【図面の簡単な説明】
【００７８】
【図１】本実施例に係るスライド装置を用いた電子機器の使用状態図である。
【図２】本実施例に係るスライド装置の説明分解斜視図である。
【図３】本実施例に係るスライド装置の説明分解斜視図である。
【図４】本実施例のスライド操作を示す前方スライド開放時の作動説明図である。
【図５】本実施例のスライド操作を示す後方スライド開放時の作動説明図である。
【図６】本実施例の別例を示す図である。
【図７】本実施例の別例を示す図である。
【符号の説明】
【００７９】
１  第一部材
２  第二部材
４  弾性部
４ａ  固定連結端部
４ｂ  可動連結端部
５  可動部材
５ａ  可動当接部
６  ガイド部，ガイド長孔
６ａ  ガイド当接部，孔縁部
７  左右ガイド長孔
７ａ  孔縁部
８  係合凹部
【図１】
2008305970.tif 000003
【図２】
2008305970.tif 000004
【図３】
2008305970.tif 000005
【図４】
2008305970.tif 000006
【図５】
2008305970.tif 000007
【図６】
2008305970.tif 000008
【図７】
2008305970.tif 000009